(57)【要約】  少なくとも一方の運転方向でダブル運転を行うダブルデッキエレベーターにおいて、利用者が目的階に到着するまでの時間を短縮させることができるように、適切な運転を行うことができるエレベーターの群管理システムを提供する。  エレベーターの所定の乗場に、利用者が目的階を入力するための乗場操作盤を設ける。群管理装置は、乗場に停止するかごの運転禁止階が、乗場操作盤から目的階として入力された場合に、乗場操作盤から入力された目的階の前の階或いは後の階をかごの行先階に登録する。
2012140758.tif 000002
【特許請求の範囲】
【請求項１】
上下に連結された２つのかごを備え、所定の運転方向でダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階の前の階或いは後の階をかごの行先階に登録する群管理装置と、
を備えたエレベーターの群管理システム。
【請求項２】
前記乗場に設けられた第１報知装置と、
を更に備え、
前記群管理装置は、前記乗場操作盤から入力された目的階の前の階或いは後の階をかごの行先階に登録すると、その行先階から目的階に利用者を誘導するための情報を、前記第１報知装置から報知させる請求項１に記載のエレベーターの群管理システム。
【請求項３】
前記群管理装置は、前記乗場に停止するかごの運転禁止階が、前記乗場操作盤から目的階として入力された場合に、目的階の前の階或いは後の階に既に呼びが登録されていれば、その呼びが登録されている階をかごの行先階に登録する請求項１又は請求項２に記載のエレベーターの群管理システム。
【請求項４】
前記群管理装置は、前記乗場に停止するかごの運転禁止階が、前記乗場操作盤から目的階として入力された場合に、目的階の前の階及び後の階の双方に既に呼びが登録されていれば、その目的階の上方階をかごの行先階に登録する請求項１又は請求項２に記載のエレベーターの群管理システム。
【請求項５】
前記群管理装置は、前記乗場に停止するかごの運転禁止階が、前記乗場操作盤から目的階として入力された場合に、目的階の前の階及び後の階の双方に呼びが登録されていなければ、その目的階の上方階をかごの行先階に登録する請求項１又は請求項２に記載のエレベーターの群管理システム。
【請求項６】
前記乗場に停止するかごに設けられた第２報知装置と、
を更に備え、
前記群管理装置は、前記乗場操作盤から入力された目的階の前の階或いは後の階をかごの行先階に登録すると、その行先階から目的階に利用者を誘導するための情報を、前記第２報知装置から報知させる請求項１又は請求項２に記載のエレベーターの群管理システム。
【請求項７】
上下に連結された２つのかごを備え、一方の運転方向でダブル運転を行い、他方の運転方向でセミダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階をかごの行先階に登録し、その行先階よりも先の所定の階を経由階に登録する群管理装置と、
前記群管理装置によって経由階が登録されると、かごをその経由階に移動させた後、行先階に停止させるかご制御装置と、
を備えたエレベーターの群管理システム。
【請求項８】
前記群管理装置は、前記乗場に停止するかごの運転禁止階が、前記乗場操作盤から目的階として入力された場合に、目的階より先の階の何れかに呼びが登録されていれば、その呼びが登録されている階のうち、目的階から最も遠い階を経由階に登録する請求項７に記載のエレベーターの群管理システム。
【請求項９】
前記群管理装置は、前記乗場に停止するかごの運転禁止階が、前記乗場操作盤から目的階として入力された場合に、目的階より先の何れの階にも呼びが登録されていなければ、乗車階から目的階への方向が所定の混雑方向に一致すれば、目的階の後の階を経由階に登録する請求項７に記載のエレベーターの群管理システム。
【請求項１０】
前記群管理装置は、前記乗場に停止するかごの運転禁止階が、前記乗場操作盤から目的階として入力された場合に、目的階より先の何れの階にも呼びが登録されていなければ、乗車階から目的階への方向が所定の混雑方向に一致しなければ、かごが運転可能な階のうち、目的階より先の終端階に最も近い階を経由階に登録する請求項７に記載のエレベーターの群管理システム。
【発明の詳細な説明】
【技術分野】
【０００１】
この発明は、ダブルデッキエレベーターの運行を管理する群管理システムに関するものである。
【背景技術】
【０００２】
ダブルデッキエレベーターには、上下に連結された２つのかごが備えられている。上方に配置されたかご（上かご）と下方に配置されたかご（下かご）とは、一体となって昇降路内を昇降する。【０００３】
ダブルデッキエレベーターには、ダブル運転、セミダブル運転と呼ばれる運転モードがある。
ダブル運転では、上かごは、奇数階及び偶数階の一方にのみ停止する。下かごは、奇数階及び偶数階の他方にのみ停止する。ダブル運転が行われている場合、利用者は、エレベーターを利用して、奇数階から偶数階、或いは、偶数階から奇数階に直接移動することはできない。【０００４】
セミダブル運転では、上かごは、奇数階及び偶数階の双方に停止する。下かごも、奇数階及び偶数階の双方に停止する。セミダブル運転が行われている場合、利用者は、何れの階からも任意の階に移動することができる（但し、一方の終端階から他方の終端階に移動する場合を除く）。【０００５】
下記特許文献１には、ダブル運転のみ行うダブルデッキエレベーターが記載されている。特許文献１に記載のものでは、奇数階の乗場に奇数階の行先釦のみを、偶数階の乗場に偶数階の行先釦のみを設置している。【０００６】
特許文献１に記載されたダブルデッキエレベーターでは、ダブル運転しか行われないため、利便性が悪い。これに対し、下記特許文献２及び３には、ダブル運転とセミダブル運転との双方を行うダブルデッキエレベーターが開示されている。【０００７】
特許文献２に記載されたダブルデッキエレベーターでは、乗場に、各階の行先釦を設置している。ダブル運転を行う場合、乗場から直接移動することができない階の行先釦については、呼びの登録を無効にし、その旨をランプで表示している。
特許文献３に記載されたダブルデッキエレベーターでは、混雑する所定の運転方向ではダブル運転を行い、逆の運転方向ではセミダブル運転を行っている。
【先行技術文献】
【特許文献】
【０００８】
【特許文献１】日本特開昭６１−２４８８７５号公報
【特許文献２】日本特開平０５−１６２９２７号公報
【特許文献３】日本特開２００４−３０７１２３号公報
【発明の概要】
【発明が解決しようとする課題】
【０００９】
特許文献２に記載のもののように乗場で行先表示を行うと、利用者が、エレベーターの利用を諦めてしまうことがある。例えば、奇数階から偶数階に移動する利用者は、ダブル運転を行っているエレベーターを好んで利用しようとはしない。このため、利用者は、目的階までの他の移動手段を探すことに時間を費やし、結果的に、目的階に到着するのが大幅に遅れてしまうことがあった。【００１０】
特許文献３に記載のものでは、ダブル運転が行われている運転方向で奇数階から偶数階に移動したい場合、利用者は、目的階に到着するまでに、一回乗り換えをしなければならない。このため、特許文献２に記載のものと同様に、目的階への到着が遅れるといった問題があった。【００１１】
この発明は、上述のような課題を解決するためになされたもので、その目的は、少なくとも一方の運転方向でダブル運転を行うダブルデッキエレベーターにおいて、利用者が目的階に到着するまでの時間を短縮させることができるように、適切な運転を行うことができるエレベーターの群管理システムを提供することである。
【課題を解決するための手段】
【００１２】
この発明に係るエレベーターの群管理システムは、上下に連結された２つのかごを備え、所定の運転方向でダブル運転を行うエレベーターの群管理システムであって、エレベーターの所定の乗場に設けられ、利用者が目的階を入力するための乗場操作盤と、乗場に停止するかごの運転禁止階が、乗場操作盤から目的階として入力された場合に、乗場操作盤から入力された目的階の前の階或いは後の階をかごの行先階に登録する群管理装置と、を備えたものである。【００１３】
また、この発明に係るエレベーターの群管理システムは、上下に連結された２つのかごを備え、一方の運転方向でダブル運転を行い、他方の運転方向でセミダブル運転を行うエレベーターの群管理システムであって、エレベーターの所定の乗場に設けられ、利用者が目的階を入力するための乗場操作盤と、乗場に停止するかごの運転禁止階が、乗場操作盤から目的階として入力された場合に、乗場操作盤から入力された目的階をかごの行先階に登録し、その行先階よりも先の所定の階を経由階に登録する群管理装置と、群管理装置によって経由階が登録されると、かごをその経由階に移動させた後、行先階に停止させるかご制御装置と、を備えたものである。
【発明の効果】
【００１４】
この発明に係るエレベーターの群管理システムであれば、少なくとも一方の運転方向でダブル運転を行うダブルデッキエレベーターにおいて、利用者が目的階に到着するまでの時間を短縮させることができるように、適切な運転を行うことができる。
【図面の簡単な説明】
【００１５】
【図１】この発明の実施の形態１におけるエレベーターの群管理システムの構成を示す図である。
【図２】この発明の実施の形態１におけるエレベーターの群管理システムの動作を示すフローチャートである。
【図３】この発明の実施の形態１におけるエレベーターの群管理システムの動作を示すフローチャートである。
【図４】この発明の実施の形態１におけるエレベーターの群管理システムの他の動作を示すフローチャートである。
【図５】この発明の実施の形態２におけるエレベーターの群管理システムの動作を示すフローチャートである。
【図６】この発明の実施の形態２におけるエレベーターの群管理システムの動作を示すフローチャートである。
【図７】この発明の実施の形態３におけるエレベーターの群管理システムの動作を示すフローチャートである。
【図８】この発明の実施の形態３におけるエレベーターの群管理システムの動作を示すフローチャートである。
【発明を実施するための形態】
【００１６】
この発明をより詳細に説明するため、添付の図面に従ってこれを説明する。なお、各図中、同一又は相当する部分には同一の符号を付しており、その重複説明は適宜に簡略化ないし省略する。
【００１７】
実施の形態１．
図１はこの発明の実施の形態１におけるエレベーターの群管理システムの構成を示す図である。
本群管理システムは、ダブルデッキエレベーターの運行を管理する。即ち、本群管理システムには、上下に連結された２つのかごが備えられている。上方に配置されたかご（上かご）と下方に配置されたかご（下かご）とは、一体となって昇降路内を昇降する。
【００１８】
本実施の形態では、少なくとも一方の運転方向でダブル運転が行われる。一方の運転方向でのみダブル運転を行っても良いし、双方の運転方向においてダブル運転を行っても良い。ダブル運転では、上かごは、奇数階及び偶数階の一方にのみ停止する。下かごは、奇数階及び偶数階の他方にのみ停止する。ダブル運転が行われている運転方向では、利用者は、エレベーターを利用して、奇数階から偶数階、或いは、偶数階から奇数階に直接移動することはできない。
【００１９】
ダブル運転が行われている運転方向においては、各かごについて、運転が禁止されている階のことを運転禁止階という。例えば、上かごが偶数階にのみ停止し、下かごが奇数階にのみ停止する場合、上かごについては、偶数階から奇数階への運転が禁止されている。このため、上かごの運転禁止階は各奇数階となる。同様に、下かごの運転禁止階は各偶数階となる。
以下に、図１を参照して、本群管理システムの構成について具体的に説明する。
【００２０】
図１において、１はエレベーターの乗場に設けられた乗場操作盤である。乗場操作盤１は、所定の乗場にのみ設置しても良いし、各乗場に設置しても良い。
乗場操作盤１は、エレベーターの利用者が乗場において自分の目的階を入力するためのものである。目的階とは、利用者が最終的に到着したい階のことである。乗場操作盤１には、テンキー２、表示機３、アナウンス装置４、マップ記憶装置５、アナウンス記憶装置６、目的階記憶手段７、判定手段８、経由階判定手段９が備えられている。
【００２１】
テンキー２は、利用者が情報を入力するための入力装置を構成する。利用者は、テンキー２を操作して、自分の目的階を入力する。乗場操作盤１は、テンキー２から目的階が入力されると、その目的階の情報と乗車階（自機の設置階）の情報とを後述の群管理装置１０に送信する。
入力装置として、テンキー２以外の手段が乗場操作盤１に備えられていても構わない。
【００２２】
表示機３及びアナウンス装置４は、乗場の利用者に所定の情報を報知するための報知装置を構成する。報知装置として、表示機３及びアナウンス装置４の一方のみが乗場操作盤１に備えられていても構わない。また、報知装置として、表示機３及びアナウンス装置４以外の手段が乗場操作盤１に備えられていても構わない。
【００２３】
マップ記憶装置５には、表示機３に表示させるための所定のマップ情報が記憶されている。マップ情報とは、利用者を、エレベーターを利用することなく、ある階の乗場から他の階（或いは、他の階の乗場）に誘導するための情報である。
アナウンス記憶装置６には、アナウンス装置４からアナウンスさせるための所定の音声情報が記憶されている。アナウンス記憶装置６には、マップ情報に対応した音声情報も記憶されている。
【００２４】
目的階記憶手段７は、利用者が入力した目的階を記憶するためのものである。利用者がテンキー２を操作して目的階を入力すると、その入力された目的階の情報が目的階記憶手段７に記憶される。
【００２５】
判定手段８は、利用者が入力した目的階が、群管理装置１０が登録した行先階（割当かごの行先階）と一致するか否かを判定する。判定手段８は、目的階記憶手段７に記憶された目的階情報と、群管理装置１０から受信した行先階情報とを比較して、上記判定を行う。判定手段８は、その判定結果に応じて、各種動作を制御する。
【００２６】
経由階判定手段９の機能については、後述する。
【００２７】
群管理装置１０は、乗場操作盤１から入力された情報等に基づいて、システム全体の運行を管理する。群管理装置１０には、判定手段１１、上下かご割当手段１２、行先階変更手段１３、呼び取得手段１４、経由階決定手段１５が備えられている。
【００２８】
判定手段１１は、乗場操作盤１から目的階を入力した利用者が、乗車階からその目的階までエレベーターを利用して直接移動できるか否かを判定する。判定手段１１は、運転モード（ダブル運転・セミダブル運転）や、乗場操作盤１から受信した情報（乗車階情報、目的階情報）に基づいて、上記判定を行う。例えば、利用者が、乗車階に停止するかご（上かご、或いは下かご）の運転禁止階を目的階として入力した場合、判定手段１１は、エレベーターによる移動はできない旨（移動不可能）を判定する。
【００２９】
上下かご割当手段１２は、運転に必要な割当かご情報と上下かご情報とを作成する。上下かご割当手段１２は、例えば、判定手段１１の判定結果、運転効率、乗場操作盤１から受信した情報に基づいて、上記情報の作成を行う。
【００３０】
行先階変更手段１３は、判定手段１１の判定結果に応じて、かごの行先階を変更する。かごの行先階は、通常、利用者の目的階に設定される。行先階変更手段１３は、判定手段１１によって移動不可能が判定された場合、かごの行先階を、利用者の目的階の前の階、或いは、後の階に変更する。「目的階の前の階」とは、運転方向（乗車階から目的階（行先階）への方向）に対して目的階の直前にある階のことである。「目的階の後の階」とは、運転方向に対して目的階の直後にある階のことである。例えば、かごが上昇する場合、目的階の直下階が「目的階の前の階」に、目的階の直上階が「目的階の後の階」に該当する。かごが下降する場合、目的階の直上階が「目的階の前の階」に、目的階の直下階が「目的階の後の階」に該当する。
【００３１】
群管理装置１０は、行先階変更手段１３によって行先階の変更が行われると、変更後の階をかご（割当かご）の行先階に登録する。また、判定手段１１によって移動可能が判定され、行先階変更手段１３による行先階の変更が行われない場合、群管理装置１０は、利用者の目的階をかごの行先階に登録する。
群管理装置１０は、行先階の登録を行うと、行先階情報を含む各種情報を乗場操作盤１とかご制御装置１６とに送信する。
【００３２】
呼び取得手段１４及び経由階決定手段１５の各機能については、後述する。
【００３３】
かご制御装置１６は、上かご及び下かごを備えたかご装置１７の動作を制御する。かご制御装置１６は、群管理装置１０から受信した情報に基づいて、かご装置１７の動作を制御する。かご制御装置１６には、マップ記憶装置１８、アナウンス記憶装置１９、判定手段２０が備えられている。かご装置１７には、上かご及び下かごのそれぞれに、表示機２１、アナウンス装置２２が備えられている。
【００３４】
マップ記憶装置１８には、表示機２１に表示させるための所定のマップ情報が記憶されている。アナウンス記憶装置１９には、アナウンス装置２２からアナウンスさせるための所定の音声情報が記憶されている。アナウンス記憶装置１９には、マップ情報に対応した音声情報も記憶されている。
【００３５】
判定手段２０は、利用者が入力した目的階が、群管理装置１０が登録した行先階（割当かごの行先階）に一致するか否かを判定する。判定手段２０は、例えば、行先階変更手段１３によって行先階の変更が行われたか否かに基づいて、上記判定を行う。判定手段２０は、その判定結果に応じて、各種動作を制御する。
【００３６】
次に、図２及び図３も参照し、上記構成を有する群管理システムの動作について説明する。図２及び図３は、この発明の実施の形態１におけるエレベーターの群管理システムの動作を示すフローチャートである。
【００３７】
エレベーターの利用者が、乗場操作盤１のテンキー２を使用して、目的階を入力すると（Ｓ１０１）、乗場操作盤１から群管理装置１０に、乗車階情報と目的階情報とが送信される（Ｓ１０２）。例えば、利用者が、１階の乗場に設置された乗場操作盤１において、「４」の釦を押すと、乗車階情報として「１階」が、目的階情報として「４階」が群管理装置１０に送信される。
【００３８】
乗場操作盤１では、利用者が入力した目的階の情報（４階）が、目的階記憶手段７に記憶される。
【００３９】
群管理装置１０では、判定手段１１により、利用者がエレベーターを利用して目的階に直接移動することができるか否かを判定する（Ｓ１０３）。例えば、上方向の交通流でセミダブル運転が行われている場合、１階から４階へのエレベーターによる移動は可能である（Ｓ１０３のＹｅｓ）。かかる場合、上下かご割当手段１２は、利用者が入力した目的階をかごの行先階に設定し、乗車階（１階）及び行先階（４階）から、運行効率が最も良いかごを決定する。また、上下かご割当手段１２は、割当かご情報、上下かご情報を作成する（Ｓ１０４）。
【００４０】
一方、上方向の交通流でダブル運転が行われている場合、利用者は、エレベーターによって１階から４階に直接移動することはできない（Ｓ１０３のＮｏ）。かかる場合、上下かご割当手段１２は、乗車階（１階）から、運行効率が最も良いかごを決定し、割当かご情報、上下かご情報を作成する（Ｓ１０５）。また、行先階変更手段１３は、かごの行先階を、当初の行先階（利用者の目的階（４階））の前後何れかの階（５階（或いは、３階））に変更する（Ｓ１０６）。
【００４１】
Ｓ１０４或いはＳ１０６の処理が終了すると、群管理装置１０は、乗場操作盤１及びかご制御装置１６に、割当かご情報、上下かご情報、行先階情報、乗車階情報を送信する（Ｓ１０７）。
【００４２】
かご制御装置１６は、群管理装置１０から上記情報を受信すると、その受信情報に従い、上かご及び下かごを備えたかご装置１７の運行を適切に行う（Ｓ１０８）。即ち、かご制御装置１６は、かご装置１７を適切に制御し、乗場呼び及びかご呼びに割当かごを応答させる。
【００４３】
一方、乗場操作盤１では、群管理装置１０から上記情報を受信すると、判定手段８が、目的階記憶手段７に記憶された目的階情報と群管理装置１０から受信した行先階情報とを比較する（Ｓ１０９）。群管理装置１０においてＳ１０４の処理が行われた場合、上記目的階情報と行先階情報とは一致する（Ｓ１０９のＹｅｓ）。かかる場合、判定手段８は、行先階（目的階）、割当かご、上下かごの各情報を表示機３に表示させる（Ｓ１１０）。
【００４４】
これに対し、群管理装置１０においてＳ１０６の処理が行われた場合、上記目的階情報と行先階情報とは一致しない（Ｓ１０９のＮｏ）。かかる場合、判定手段８は、行先階、割当かご、上下かごの各情報を表示機３に表示させる。また、判定手段８は、目的階記憶手段７に記憶された目的階情報（上記例では、４階）と群管理装置１０から受信した行先階情報（同じく、５階）とに基づき、かごの行先階（５階）から利用者の目的階（４階）に利用者を誘導するためのマップ情報をマップ記憶装置５から抽出し、表示機３に表示させる（Ｓ１１１）。更に、判定手段８は、抽出したマップ情報に対応する音声情報をアナウンス記憶装置６から抽出し、アナウンス装置４からアナウンスさせる（Ｓ１１２）。
【００４５】
その後、かご制御装置１６によってかご装置１７が適切に制御されることにより、利用者が乗車階からかごに乗り、行先階に移動する（Ｓ１１３）。群管理装置１０においてＳ１０４の処理が行われた場合、かごの行先階と利用者の目的階とは一致するため、利用者はかごを降りることによって目的階に到着することができる（Ｓ１１４のＹｅｓ）。
【００４６】
一方、利用者が乗場操作盤１でかごの運転禁止階を目的階として入力した場合、利用者は、かごを降りただけでは目的階に到着することができない（Ｓ１１４のＮｏ）。しかし、降車階（かごの行先階）から目的階までの移動方法は、既に利用者に通知されている。このため、利用者は、かごを降りると、表示機３の表示内容やアナウンス装置４からのアナウンス内容に従い、目的階に移動する（Ｓ１１５）。
【００４７】
上記構成の群管理システムであれば、利用者が乗場操作盤１からかごの運転禁止階を目的階として入力した場合に、利用者を目的階の隣接する階まで迅速に運ぶことができ、更に、利用者が行先階に到着するまでに、利用者に、降車後の移動に関する情報を提供することができる。このため、利用者は何ら迷うことなく目的階に到着することができ、その到着までに要する時間を大幅に短縮させることができる。
【００４８】
なお、本群管理システムでは、割当かごに備えられた報知装置（表示機２１、アナウンス装置２２）を使用して、利用者への情報提供を行うことも可能である。
以下に、図４も参照し、かかる機能について説明する。
【００４９】
図４はこの発明の実施の形態１におけるエレベーターの群管理システムの他の動作を示すフローチャートである。図４に示す処理フローは、例えば、図２及び図３に示す処理フローと並行して行われる。
【００５０】
かご内で利用者への情報提供を行う場合、群管理装置１０は、上記Ｓ１０７において、割当かご情報、上下かご情報、行先階情報、乗車階情報に加え、行先階変更手段１３によって変更される前の行先階情報（目的階情報に一致）をかご制御装置１６に送信する（Ｓ１１６）。
【００５１】
かご制御装置１６は、群管理装置１０から上記情報を受信すると、その受信情報に従い、かご装置１７の運行を適切に行う（Ｓ１１７）。即ち、かご制御装置１６は、かご装置１７を適切に制御し、乗場呼び及びかご呼びに割当かごを応答させる。
【００５２】
また、かご制御装置１６では、群管理装置１０から上記情報を受信すると、判定手段２０が、変更前後の行先階情報を比較する。行先階変更手段１３による行先階の変更が行われていない場合、判定手段２０は、処理を終了する。
【００５３】
一方、利用者が乗場操作盤１でかごの運転禁止階を目的階として入力した場合、変更前後の行先階情報は一致しない。かかる場合、判定手段２０は、変更前後の行先階情報（上記例では、４階と５階）に基づいて、かごの行先階（５階）から利用者の目的階（４階）に利用者を誘導するためのマップ情報をマップ記憶装置１８から抽出する。また、判定手段２０は、抽出したマップ情報に対応する音声情報をアナウンス記憶装置１９から抽出する（Ｓ１１８）。
【００５４】
判定手段２０は、割当かごが行先階に到着することが決定すると、抽出したマップ情報をそのかごの表示機２１に表示させる（Ｓ１１９）。また、判定手段２０は、対応の音声情報をそのかごのアナウンス装置２２からアナウンスさせる（Ｓ１２０）。これにより、利用者は、行先階に移動するかご内においても、行先階から目的階までの移動方法を確認することが可能となる。
【００５５】
実施の形態２．
本実施の形態では、利用者が乗場操作盤１でかごの運転禁止階を目的階として入力した場合に、行先階変更手段１３が、呼びの登録状況に応じてかごの行先階を変更する場合について説明する。
【００５６】
呼び取得手段１４は、呼びの登録状況の検出を行う。呼び取得手段１４は、呼びの登録情報を取得すると、行先階変更手段１３に送信する。行先階変更手段１３は、呼び取得手段１４から受信した呼びの登録情報も考慮して、行先階の変更を行う。
【００５７】
以下に、図５及び図６も参照し、上記機能を備えた群管理システムの動作について説明する。図５及び図６は、この発明の実施の形態２におけるエレベーターの群管理システムの動作を示すフローチャートである。
【００５８】
Ｓ２０１乃至Ｓ２０５に示す動作は、Ｓ１０１乃至Ｓ１０５に示す動作と同じである。
利用者が乗場操作盤１でかごの運転禁止階を目的階として入力し、Ｓ２０３において移動不可能が判定されると、呼び取得手段１４は、割当かごの呼びの登録状況を検出する。行先階変更手段１３は、呼び取得手段１４から割当かごの呼びの登録情報を取得する（Ｓ２０６）。
【００５９】
行先階変更手段１３は、呼び取得手段１４から受信した情報に基づき、利用者の目的階の前後の階に呼び（乗場呼び、かご呼び）が既に登録されているか否かを判定する（Ｓ２０７）。
【００６０】
目的階の前後の階の一方にのみ呼びが登録されている場合、行先階変更手段１３は、その呼びが登録されている階にかごの行先階を変更する。例えば、利用者が１階の乗場操作盤１から４階を入力した上記例では、目的階（４階）の後の階（５階）にのみ呼びが登録されていれば、行先階変更手段１３は、後の階（５階）にかごの行先階を変更する（Ｓ２０８）。目的階（４階）の前の階（３階）にのみ呼びが登録されている場合、行先階変更手段１３は、前の階（３階）にかごの行先階を変更する（Ｓ２０９）。
【００６１】
一方、目的階の前後の階の呼びの登録状況が同じ場合、行先階変更手段１３は、目的階の上方階にかごの行先階を変更する（Ｓ２１０）。例えば、利用者が１階の乗場操作盤１から４階を入力した上記例では、目的階（４階）の前の階（３階）と後の階（５階）との双方に呼びが登録されていれば、行先階変更手段１３は、後の階（５階）にかごの行先階を変更する。同様に、目的階（４階）の前の階（３階）と後の階（５階）との双方に呼びが登録されていない場合も、行先階変更手段１３は、後の階（５階）にかごの行先階を変更する。
【００６２】
行先階変更手段１３によって行先階が変更された場合、群管理装置１０は、その変更された階をかご（割当かご）の行先階に登録する。
【００６３】
Ｓ２１１乃至Ｓ２１９に示す動作は、Ｓ１０７乃至Ｓ１１５に示す動作と同じである。
なお、図５及び図６に示す処理フローと並行して、図４に示す処理フローを行っても良い。
【００６４】
上記構成の群管理システムであれば、利用者が乗場操作盤１でかごの運転禁止階を目的階として入力した場合に、その目的階前後の階の呼びの登録状況に応じて、かごの行先階を適切に設定することができる。なお、目的階の前後の階の呼びの登録状況が同じ場合、かごの行先階は目的階の直上階に変更される。利用者の多くは、上方階への移動よりも下方階への移動の方が楽であると感じるため、本群管理システムであれば、降車後の利用者の負担を軽減させることができる。
【００６５】
実施の形態３．
本実施の形態では、一方の運転方向でダブル運転が行われ、他方の運転方向（逆の運転方向）でセミダブル運転が行われる場合について説明する。セミダブル運転では、上かごは、奇数階及び偶数階の双方に停止する。下かごも、奇数階及び偶数階の双方に停止する。セミダブル運転が行われている場合、利用者は、何れの階からも任意の階に直接移動することができる（但し、一方の終端階から他方の終端階に移動する場合を除く）。
【００６６】
本実施の形態では、群管理装置１０は、行先階変更手段１３の機能を使用しない。群管理装置１０は、乗場操作盤１から乗車階情報及び目的階情報を受信すると、利用者の目的階をかごの行先階に登録する。しかし、利用者が乗場操作盤１でかごの運転禁止階を目的階として入力した場合は、エレベーターによって利用者を乗車階から目的階まで直接運ぶことはできない。かかる場合、群管理装置１０は、経由階決定手段１５の機能により、経由階を登録する。
【００６７】
経由階決定手段１５は、行先階にかごを停止させる前に移動させる階（経由階）を決定する。経由階決定手段１５は、判定手段１１の判定結果や呼び取得手段１４から受信した呼びの登録情報も考慮して、経由階の決定を行う。経由階決定手段１５は、行先階（利用者の目的階）よりも先の何れかの階を経由階に登録する。
経由階判定手段９は、群管理装置１０から受信した情報に基づいて、経由階（の登録）の有無を判定する。経由階判定手段９は、その判定結果に応じて、各種動作を制御する。
【００６８】
以下に、図７及び図８も参照し、上記機能を備えた群管理システムの動作について説明する。図７及び図８は、この発明の実施の形態３におけるエレベーターの群管理システムの動作を示すフローチャートである。
以下の説明においては、所定の運転方向が、（例えば、時間帯に応じて）混雑方向に設定されているものとする。
【００６９】
Ｓ３０１乃至Ｓ３０５に示す動作は、Ｓ２０１乃至Ｓ２０５に示す動作と同じである。
利用者が乗場操作盤１でかごの運転禁止階を目的階として入力し、Ｓ３０３において移動不可能が判定されると、経由階決定手段１５は、呼び取得手段１４から割当かごの呼びの登録情報を取得する（Ｓ３０６）。また、経由階決定手段１５は、割当かごが乗車階に到着する時の運転方向（乗車階から行先階（目的階）への方向）が、混雑方向と一致するか否かを判定する（Ｓ３０７）。
【００７０】
かご到着時の運転方向が混雑方向と一致する場合（Ｓ３０７のＹｅｓ）、即ち、混雑方向でダブル運転が行われている場合、経由階決定手段１５は、行先階（利用者の目的階に一致）よりも先の何れかの階に、既に呼びが登録されているか否かを判定する（Ｓ３０８）。経由階決定手段１５は、行先階よりも先の何れかの階に呼びがあれば（Ｓ３０８のＹｅｓ）、その呼びがある階のうち、行先階から最も遠い階（即ち、混雑方向側の終端階に最も近い階）を経由階に設定する（Ｓ３０９）。利用者が１階の乗場操作盤１から４階を入力した上記例で、上方向の交通流でダブル運転が行われている場合、５階、７階、９階にそれぞれ呼びが登録されていれば、経由階決定手段１５は、上方向の終端階（例えば、１０階）に最も近い９階を経由階に設定する。
【００７１】
一方、行先階よりも先の何れの階にも呼びが登録されていない場合（Ｓ３０８のＮｏ）、経由階決定手段１５は、行先階の後の階（上記例では、５階）を経由階に設定する（Ｓ３１０）。
【００７２】
かご到着時の運転方向が混雑方向と一致しない場合（Ｓ３０７のＮｏ）、経由階決定手段１５は、行先階（利用者の目的階に一致）よりも先（混雑方向とは逆方向側）の何れかの階に、既に呼びが登録されているか否かを判定する（Ｓ３１１）。経由階決定手段１５は、行先階よりも先の何れかの階に呼びがあれば（Ｓ３１１のＹｅｓ）、その呼びがある階のうち、行先階から最も遠い階（即ち、上記逆方向側の終端階に最も近い階）を経由階に設定する（Ｓ３１２）。
【００７３】
一方、行先階よりも先の何れの階にも呼びが登録されていない場合（Ｓ３１１のＮｏ）、経由階決定手段１５は、割当かごが運転可能（停止可能）な階であって上記逆方向側の終端階に最も近い階を、経由階に設定する。行先階よりも先の終端階に割当かごが運転可能であれば、経由階決定手段１５は、その終端階を経由階に設定する（Ｓ３１３）。
【００７４】
Ｓ３０４の処理或いは上記経由階の設定処理が終了すると、群管理装置１０は、乗場操作盤１及びかご制御装置１６に、割当かご情報、上下かご情報、行先階情報、経由階情報、乗車階情報を送信する（Ｓ３１４）。
かご制御装置１６は、群管理装置１０から上記情報を受信すると、その受信情報に従い、上かご及び下かごを備えたかご装置１７の運行を適切に行う（Ｓ３１５）。
【００７５】
乗場操作盤１では、群管理装置１０から上記情報を受信すると、経由階判定手段９が、経由階の設定が行われているか否かを判定する（Ｓ３１６）。群管理装置１０においてＳ３０４の処理が行われた場合、経由階は設定されていない（Ｓ３１６のＮｏ）。かかる場合、経由階判定手段９は、行先階（目的階）、割当かご、上下かごの各情報を表示機３に表示させる（Ｓ３１７）。
【００７６】
一方、利用者が乗場操作盤１でかごの運転禁止階を目的階として入力した場合、Ｓ３０３でＮｏの判定がなされ、経由階が設定される（Ｓ３１６のＹｅｓ）。かかる場合、経由階判定手段９は、行先階、経由階、割当かご、上下かごの各情報を表示機３に表示させる（Ｓ３１８）。
【００７７】
表示機３への表示が行われた後に割当かごが乗車階に停止し、利用者がかごに乗ると、かご制御装置１６は、かご呼びを登録する（Ｓ３１９）。この時、経由階が設定されていなければ、かご制御装置１６は、行先階に対応するかご呼びを登録し、かごの移動を開始させる。これにより、かごは乗車階から行先階に直接移動し、利用者は、目的階で降車することができる（Ｓ３２０のＹｅｓ）。
【００７８】
一方、経由階が設定されていない場合、かご制御装置１６は、先ず、経由階に対応するかご呼びを登録し、かごの移動を開始させる。かかる場合、利用者は、乗車階から目的階に直接移動することはできない（Ｓ３２０のＮｏ）。かご制御装置１６は、乗車階から経由階までかごを移動させると、かごの運転方向を反転させ、行先階に対応するかご呼びを登録する（Ｓ３２１）。これにより、かごは経由階から行先階に向けて移動を開始する。その後、かご制御装置１６は、行先階でかごを停止させ、利用者をその行先階（利用者の目的階）で降車させる（Ｓ３２２）。
【００７９】
上記構成の群管理システムであれば、一方の運転方向でダブル運転が行われ、他方の運転方向でセミダブル運転が行われている場合に、利用者を目的階まで迅速に運ぶことができる。
なお、上記構成の群管理システムでは、割当かごに備えられた報知装置（表示機２１、アナウンス装置２２）も使用して、経由階の報知を行っても良い。
【産業上の利用可能性】
【００８０】
この発明に係るエレベーターの群管理システムは、ダブルデッキエレベーターの運行を管理するものに適用することができる。
【符号の説明】
【００８１】
１  乗場操作盤
２  テンキー
３、２１  表示機
４、２２  アナウンス装置
５、１８  マップ記憶装置
６、１９  アナウンス記憶装置
７  目的階記憶手段
８、１１、２０  判定手段
９  経由階判定手段
１０  群管理装置
１２  上下かご割当手段
１３  行先階変更手段
１４  呼び取得手段
１５  経由階決定手段
１６  かご制御装置
１７  かご装置
【図１】
2012140758.tif 000003
【図２】
2012140758.tif 000004
【図３】
2012140758.tif 000005
【図４】
2012140758.tif 000006
【図５】
2012140758.tif 000007
【図６】
2012140758.tif 000008
【図７】
2012140758.tif 000009
【図８】
2012140758.tif 000010
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
上下に連結された２つのかごを備え、所定の運転方向でダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階の前の階或いは後の階をかごの行先階に登録する群管理装置と、
を備え、
前記群管理装置は、前記乗場に停止するかごの運転禁止階が、前記乗場操作盤から目的階として入力された場合に、目的階の前の階或いは後の階に既に呼びが登録されていれば、その呼びが登録されている階をかごの行先階に登録するエレベーターの群管理システム。
【請求項２】
（削除）
【請求項３】
（削除）
【請求項４】
上下に連結された２つのかごを備え、所定の運転方向でダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階の前の階或いは後の階をかごの行先階に登録する群管理装置と、
を備え、
前記群管理装置は、前記乗場に停止するかごの運転禁止階が、前記乗場操作盤から目的階として入力された場合に、目的階の前の階及び後の階の双方に既に呼びが登録されていれば、その目的階の上方階をかごの行先階に登録するエレベーターの群管理システム。
【請求項５】
上下に連結された２つのかごを備え、所定の運転方向でダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階の前の階或いは後の階をかごの行先階に登録する群管理装置と、
を備え、
前記群管理装置は、前記乗場に停止するかごの運転禁止階が、前記乗場操作盤から目的階として入力された場合に、目的階の前の階及び後の階の双方に呼びが登録されていなければ、その目的階の上方階をかごの行先階に登録する請求項１又は請求項２に記載のエレベーターの群管理システム。
【請求項６】
（削除）
【請求項７】
上下に連結された２つのかごを備え、一方の運転方向でダブル運転を行い、他方の運転方向でセミダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階をかごの行先階に登録し、その行先階よりも先の所定の階を経由階に登録する群管理装置と、
前記群管理装置によって経由階が登録されると、かごをその経由階に移動させた後、行先階に停止させるかご制御装置と、
を備えたエレベーターの群管理システム。
【請求項８】
前記群管理装置は、前記乗場に停止するかごの運転禁止階が、前記乗場操作盤から目的階として入力された場合に、目的階より先の階の何れかに呼びが登録されていれば、その呼びが登録されている階のうち、目的階から最も遠い階を経由階に登録する請求項７に記載のエレベーターの群管理システム。
【請求項９】
前記群管理装置は、前記乗場に停止するかごの運転禁止階が、前記乗場操作盤から目的階として入力された場合に、目的階より先の何れの階にも呼びが登録されていなければ、乗車階から目的階への方向が所定の混雑方向に一致すれば、目的階の後の階を経由階に登録する請求項７に記載のエレベーターの群管理システム。
【請求項１０】
前記群管理装置は、前記乗場に停止するかごの運転禁止階が、前記乗場操作盤から目的階として入力された場合に、目的階より先の何れの階にも呼びが登録されていなければ、乗車階から目的階への方向が所定の混雑方向に一致しなければ、かごが運転可能な階のうち、目的階より先の終端階に最も近い階を経由階に登録する請求項７に記載のエレベーターの群管理システム。
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
上下に連結された２つのかごを備え、所定の運転方向でダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階の前の階或いは後の階をかごの行先階に登録する群管理装置と、
を備え、
前記群管理装置は、前記乗場に停止するかごの運転禁止階が、前記乗場操作盤から目的階として入力された場合に、目的階の前の階或いは後の階に既に呼びが登録されていれば、その呼びが登録されている階をかごの行先階に登録するエレベーターの群管理システム。
【請求項２】
上下に連結された２つのかごを備え、所定の運転方向でダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階の前の階或いは後の階をかごの行先階に登録する群管理装置と、
を備え、
前記群管理装置は、前記乗場に停止するかごの運転禁止階が、前記乗場操作盤から目的階として入力された場合に、目的階の前の階及び後の階の双方に既に呼びが登録されていれば、その目的階の上方階をかごの行先階に登録するエレベーターの群管理システム。
【請求項３】
上下に連結された２つのかごを備え、所定の運転方向でダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階の前の階或いは後の階をかごの行先階に登録する群管理装置と、
を備え、
前記群管理装置は、前記乗場に停止するかごの運転禁止階が、前記乗場操作盤から目的階として入力された場合に、目的階の前の階及び後の階の双方に呼びが登録されていなければ、その目的階の上方階をかごの行先階に登録するエレベーターの群管理システム。
【請求項４】
上下に連結された２つのかごを備え、一方の運転方向でダブル運転を行い、他方の運転方向でセミダブル運転を行うエレベーターの群管理システムであって、
エレベーターの所定の乗場に設けられ、利用者が目的階を入力するための乗場操作盤と、
前記乗場に停止するかごの運転禁止階が、前記乗場操作盤から目的階として入力された場合に、前記乗場操作盤から入力された目的階をかごの行先階に登録し、その行先階よりも先の所定の階を経由階に登録する群管理装置と、
前記群管理装置によって経由階が登録されると、かごをその経由階に移動させた後、行先階に停止させるかご制御装置と、
を備えたエレベーターの群管理システム。
【請求項５】
前記群管理装置は、前記乗場に停止するかごの運転禁止階が、前記乗場操作盤から目的階として入力された場合に、目的階より先の階の何れかに呼びが登録されていれば、その呼びが登録されている階のうち、目的階から最も遠い階を経由階に登録する請求項４に記載のエレベーターの群管理システム。
【請求項６】
前記群管理装置は、前記乗場に停止するかごの運転禁止階が、前記乗場操作盤から目的階として入力された場合に、目的階より先の何れの階にも呼びが登録されていなければ、乗車階から目的階への方向が所定の混雑方向に一致すれば、目的階の後の階を経由階に登録する請求項４に記載のエレベーターの群管理システム。
【請求項７】
前記群管理装置は、前記乗場に停止するかごの運転禁止階が、前記乗場操作盤から目的階として入力された場合に、目的階より先の何れの階にも呼びが登録されていなければ、乗車階から目的階への方向が所定の混雑方向に一致しなければ、かごが運転可能な階のうち、目的階より先の終端階に最も近い階を経由階に登録する請求項４に記載のエレベーターの群管理システム。
【手続補正２】
【補正対象書類名】明細書
【補正対象項目名】００１２
【補正方法】変更
【補正の内容】
【００１２】
この発明に係るエレベーターの群管理システムは、上下に連結された２つのかごを備え、所定の運転方向でダブル運転を行うエレベーターの群管理システムであって、エレベーターの所定の乗場に設けられ、利用者が目的階を入力するための乗場操作盤と、乗場に停止するかごの運転禁止階が、乗場操作盤から目的階として入力された場合に、乗場操作盤から入力された目的階の前の階或いは後の階をかごの行先階に登録する群管理装置と、を備え、群管理装置は、乗場に停止するかごの運転禁止階が、乗場操作盤から目的階として入力された場合に、目的階の前の階或いは後の階に既に呼びが登録されていれば、その呼びが登録されている階をかごの行先階に登録するものである。
また、この発明に係るエレベーターの群管理システムは、上下に連結された２つのかごを備え、所定の運転方向でダブル運転を行うエレベーターの群管理システムであって、エレベーターの所定の乗場に設けられ、利用者が目的階を入力するための乗場操作盤と、乗場に停止するかごの運転禁止階が、乗場操作盤から目的階として入力された場合に、乗場操作盤から入力された目的階の前の階或いは後の階をかごの行先階に登録する群管理装置と、を備え、群管理装置は、乗場に停止するかごの運転禁止階が、乗場操作盤から目的階として入力された場合に、目的階の前の階及び後の階の双方に既に呼びが登録されていれば、その目的階の上方階をかごの行先階に登録するものである。
また、この発明に係るエレベーターの群管理システムは、上下に連結された２つのかごを備え、所定の運転方向でダブル運転を行うエレベーターの群管理システムであって、エレベーターの所定の乗場に設けられ、利用者が目的階を入力するための乗場操作盤と、乗場に停止するかごの運転禁止階が、乗場操作盤から目的階として入力された場合に、乗場操作盤から入力された目的階の前の階或いは後の階をかごの行先階に登録する群管理装置と、を備え、群管理装置は、乗場に停止するかごの運転禁止階が、乗場操作盤から目的階として入力された場合に、目的階の前の階及び後の階の双方に呼びが登録されていなければ、その目的階の上方階をかごの行先階に登録するものである。
【国際調査報告】
2012140758.tif 000011
2012140758.tif 000012
2012140758.tif 000013
2012140758.tif 000014
2012140758.tif 000015
2012140758.tif 000016